(57)【特許請求の範囲】
【請求項１】
駆動用の内蔵電源、および有線接続用の接続部を備えた放射線画像撮影装置と、
前記接続部に接続可能に構成され、ケーブルが接続されていない接続部材と、
前記接続部材が前記接続部に接続された場合に前記放射線画像撮影装置における前記内蔵電源からの給電を遮断する遮断手段と、
を有する放射線画像撮影システム。
【請求項２】
前記接続部は、前記放射線画像撮影装置と外部装置との間を接続するケーブルに設けられた外部接続コネクタが接続されるものであり、
前記接続部材は、前記外部接続コネクタのダミーとして使用される、ケーブルが接続されていないコネクタである
請求項１記載の放射線画像撮影システム。
【請求項３】
前記ケーブルは、少なくとも外部からの電力を供給する役割を有する
請求項２記載の放射線画像撮影システム。
【請求項４】
前記外部接続コネクタが前記接続部に接続された場合に、前記内蔵電源に代えて前記ケーブルから給電するように切り替える切替手段
をさらに備えた請求項３記載の放射線画像撮影システム。
【請求項５】
前記接続部材が前記接続部に接続された場合に前記内蔵電源からの給電が遮断されることを示す電源遮断情報を送信する送信手段をさらに備え、
前記遮断手段は、前記送信手段によって前記電源遮断情報が送信された後に前記内蔵電源からの給電を遮断する
請求項１から請求項４の何れか１項記載の放射線画像撮影システム。
【請求項６】
前記接続部材は、前記内蔵電源からの電力の供給および遮断の状態を切り替えるためのスイッチを備えている
請求項１から請求項５の何れか１項記載の放射線画像撮影システム。
【請求項７】
前記遮断手段は、前記放射線画像撮影装置または前記接続部材に備えられている
請求項１から請求項６の何れか１項記載の放射線画像撮影システム。
【請求項８】
前記遮断手段は、前記内蔵電源からの給電を電気的に遮断する
請求項１から請求項７の何れか１項記載の放射線画像撮影システム。
【請求項９】
前記遮断手段は、前記内蔵電源からの給電を機械的に遮断する
請求項１から請求項８の何れか１項記載の放射線画像撮影システム。
【請求項１０】
前記接続部材は、前記接続部に接続されている際に当該接続部位周辺の密閉性を有する
請求項１から請求項９の何れか１項記載の放射線画像撮影システム。
【請求項１１】
前記接続部材が前記接続部から取り外された場合に前記放射線画像撮影装置における前記内蔵電源からの給電を再開する再開手段
をさらに有する請求項１から請求項１０の何れか１項記載の放射線画像撮影システム。
【請求項１２】
駆動用の内蔵電源、および有線接続用の接続部を備えた放射線画像撮影装置の前記接続部に接続され、ケーブルが接続されていない第２接続部と、
前記接続部に前記第２接続部が接続された場合に前記放射線画像撮影装置における前記内蔵電源からの給電を遮断する遮断手段と、
を備えた接続部材。
【請求項１３】
前記内蔵電源からの電力の供給および遮断の状態を切り替えるためのスイッチ
をさらに備えた請求項１２記載の接続部材。
【請求項１４】
駆動用の内蔵電源と、
有線接続用の接続部と、
前記接続部に接続可能に構成され、ケーブルが接続されていない接続部材が当該接続部に接続された場合に、前記内蔵電源からの給電を遮断する遮断手段と、
を備えた放射線画像撮影装置。
【請求項１５】
駆動用の内蔵電源、および有線接続用の接続部を備えた放射線画像撮影装置の前記接続部に接続可能に構成され、ケーブルが接続されていない接続部材が前記接続部に接続された場合に前記放射線画像撮影装置における前記内蔵電源からの給電を遮断する遮断ステップと、
前記接続部材が前記接続部から取り外された場合に前記内蔵電源からの給電を再開する再開ステップと、
を備えた電源供給切替方法。
【請求項１６】
コンピュータを、
駆動用の内蔵電源、および有線接続用の接続部を備えた放射線画像撮影装置の前記接続部に接続可能に構成され、ケーブルが接続されていない接続部材が前記接続部に接続された場合に前記放射線画像撮影装置における前記内蔵電源からの給電を遮断する遮断手段と、
前記接続部材が前記接続部から取り外された場合に前記内蔵電源からの給電を再開する再開手段と、
として機能させるためのプログラム。
【発明の詳細な説明】
【技術分野】
【０００１】
本発明は、放射線画像撮影システム、接続部材、放射線画像撮影装置、電源供給切替方法およびプログラムに係り、特に、駆動用の内蔵電源および有線接続用の接続部を備えた放射線画像撮影装置を有する放射線画像撮影システム、当該放射線画像撮影装置の前記有線接続用の接続部に接続される接続部材、前記放射線画像撮影装置、前記内蔵電源からの給電状態を切り替える電源供給切替方法および前記放射線画像撮影装置または前記接続部材において実行されるプログラムに関する。
【背景技術】
【０００２】
従来、可搬型の放射線画像撮影装置は、内蔵された放射線検出器等に対して駆動用の電力を供給する内蔵電源が設けられている。
【０００３】
ところで、この種の放射線画像撮影装置には、撮影時における誤操作や、血液等の侵入防止のため密閉性を確保するために、電源スイッチが設けられていないものがあり、この種の放射線画像撮影装置には、放射線検出器等の電力によって駆動する各部に対して、内蔵電源から電力が常時供給されているものがあった。
【０００４】
しかしながら、この種の放射線画像撮影装置では、昼食時を跨いで撮影を行う場合や回診車による移動時等のように、撮影を行わない期間が比較的長い場合には、内蔵電源による電力が無駄に消費されてしまう、という問題があった。
【０００５】
これに対し、特許文献１には、外部からの供給電力を伝送する給電線とデジタル画像データを伝送するデータ通信線／撮像制御信号線とをあわせ持ったケーブルをケーブルコネクタに接続可能な放射線撮像装置が開示されており、この放射線撮像装置では、ケーブルの接続を検知した場合に、装置本体に内蔵された電池を装置本体の電源として使用しないことを装置本体側で選択していた。
【先行技術文献】
【特許文献】
【０００６】
【特許文献１】特開２００５−６９７９号公報
【発明の概要】
【発明が解決しようとする課題】
【０００７】
しかしながら、特許文献１に開示されている技術では、消費電力を抑制するためには、放射線画像撮影装置にケーブルを接続する必要があり、作業が煩雑である、という問題点があった。
【０００８】
なお、放射線画像撮影装置との間で通信可能に構成されたコンソールから、未使用時には内蔵電源からの電力供給を遮断する指示を放射線画像撮影装置に送信することにより、当該電力供給を遮断させることも考えられるが、この場合は、当該指示を行うための作業が煩雑である、という問題点があった。
【０００９】
なお、この問題点は、電源スイッチが設けられていない放射線画像撮影装置に限らず、電源スイッチが設けられている放射線画像撮影装置にも生じ得る問題点である。
【００１０】
本発明は上記問題点を解決するためになされたものであり、煩雑な操作を伴うことなく、内蔵電源による消費電力を抑制することのできる放射線画像撮影システム、接続部材、放射線画像撮影装置、電源供給切替方法およびプログラムを提供することを目的とする。
【課題を解決するための手段】
【００１１】
上記目的を達成するために、請求項１に記載の放射線画像撮影システムは、駆動用の内蔵電源、および有線接続用の接続部を備えた放射線画像撮影装置と、前記接続部に接続可能に構成され、ケーブルが接続されていない接続部材と、前記接続部材が前記接続部に接続された場合に前記放射線画像撮影装置における前記内蔵電源からの給電を遮断する遮断手段と、を有している。
【００１２】
請求項１に記載の放射線画像撮影システムによれば、駆動用の内蔵電源、および有線接続用の接続部を備えた放射線画像撮影装置における当該接続部に接続可能に構成され、ケーブルが接続されていない接続部材が用いられる。
【００１３】
そして、本発明では、前記接続部材が前記接続部に接続された場合に、遮断手段によって前記放射線画像撮影装置における前記内蔵電源からの給電が遮断される。
【００１４】
このように、請求項１に記載の放射線画像撮影システムによれば、接続部材が放射線画像撮影装置の有線接続用の接続部に接続された場合に当該放射線画像撮影装置における内蔵電源からの給電を遮断しているので、接続部材を取り付けるという簡易な操作のみにより、煩雑な操作を伴うことなく、内蔵電源による消費電力を抑制することができる。
【００１５】
なお、本発明は、請求項２に記載の発明のように、前記接続部が、前記放射線画像撮影装置と外部装置との間を接続するケーブルに設けられた外部接続コネクタが接続されるものであり、前記接続部材が、前記外部接続コネクタのダミーとして使用される、ケーブルが接続されていないコネクタとしてもよい。これにより、本発明の接続部材を簡易に製作することができる。
【００１６】
特に、請求項２に記載の発明は、請求項３に記載の発明のように、前記ケーブルが、少なくとも外部からの電力を供給する役割を有してもよい。これにより、外部接続コネクタを接続部に接続した状態で外部からの給電が可能となる結果、内蔵電源による消費電力を、より抑制することができる。
【００１７】
さらに、請求項３に記載の発明は、請求項４に記載の発明のように、前記外部接続コネクタが前記接続部に接続された場合に、前記内蔵電源に代えて前記ケーブルから給電するように切り替える切替手段をさらに備えてもよい。これにより、より確実に内蔵電源による消費電力を抑制することができる。
【００１８】
また、本発明は、請求項５に記載の発明のように、前記接続部材が前記接続部に接続された場合に前記内蔵電源からの給電が遮断されることを示す電源遮断情報を送信する送信手段をさらに備え、前記遮断手段が、前記送信手段によって前記電源遮断情報が送信された後に前記内蔵電源からの給電を遮断してもよい。これにより、外部装置に対して、放射線画像撮影装置の不具合等によって給電が遮断されたのではなく、接続部材が接続されたことによって給電が遮断されたことを把握させることができる。
【００１９】
また、本発明は、請求項６に記載の発明のように、前記接続部材が、前記内蔵電源からの電力の供給および遮断の状態を切り替えるためのスイッチを備えていてもよい。これにより、利用者にとっての利便性を、より向上させることができる。
【００２０】
また、本発明は、請求項７に記載の発明のように、前記遮断手段が、前記放射線画像撮影装置または前記接続部材に備えられていてもよい。これにより、前記遮断手段をこれら以外に別個に設ける場合に比較して、当該遮断手段に要するスペースを削減することができる。
【００２１】
また、本発明は、請求項８に記載の発明のように、前記遮断手段が、前記内蔵電源からの給電を電気的に遮断してもよく、請求項９に記載の発明のように、前記遮断手段が、前記内蔵電源からの給電を機械的に遮断してもよい。これにより、電気的に遮断する場合は、機械的に遮断する場合に比較して、遮断手段の耐久性を向上させることができる一方、機械的に遮断する場合は、電気的に遮断する場合に比較して、当該遮断のための消費電力の発生を防止することができる。
【００２２】
また、本発明は、請求項１０に記載の発明のように、前記接続部材が、前記接続部に接続されている際に当該接続部位周辺の密閉性を有してもよい。これにより、放射線画像撮影装置を医療現場で用いる場合の、血液等の液体の装置内部への流入を防止することができる。
【００２３】
さらに、本発明は、請求項１１に記載の発明のように、前記接続部材が前記接続部から取り外された場合に前記放射線画像撮影装置における前記内蔵電源からの給電を再開する再開手段をさらに有してもよい。これにより、より確実に煩雑な操作を回避することができる。
【００２４】
一方、上記目的を達成するために、請求項１２に記載の接続部材は、駆動用の内蔵電源、および有線接続用の接続部を備えた放射線画像撮影装置の前記接続部に接続され、ケーブルが接続されていない第２接続部と、前記接続部に前記第２接続部が接続された場合に前記放射線画像撮影装置における前記内蔵電源からの給電を遮断する遮断手段と、を備えている。
【００２５】
請求項１２に記載の接続部材によれば、駆動用の内蔵電源、および有線接続用の接続部を備えた放射線画像撮影装置の前記接続部に、ケーブルが接続されていない第２接続部が接続されるものとされている。
【００２６】
ここで、本発明では、遮断手段により、前記接続部に前記第２接続部が接続された場合に前記放射線画像撮影装置における前記内蔵電源からの給電が遮断される。
【００２７】
このように、請求項１２に記載の接続部材によれば、放射線画像撮影装置の有線接続用の接続部に接続された場合に当該放射線画像撮影装置における内蔵電源からの給電を遮断しているので、接続部材を取り付けるという簡易な操作のみにより、煩雑な操作を伴うことなく、内蔵電源による消費電力を抑制することができる。
【００２８】
なお、本発明は、請求項１３に記載の発明のように、前記内蔵電源からの電力の供給および遮断の状態を切り替えるためのスイッチをさらに備えてもよい。これにより、利用者にとっての利便性を、より向上させることができる。
【００２９】
一方、上記目的を達成するために、請求項１４に記載の放射線画像撮影装置は、駆動用の内蔵電源と、有線接続用の接続部と、前記接続部に接続可能に構成され、ケーブルが接続されていない接続部材が当該接続部に接続された場合に、前記内蔵電源からの給電を遮断する遮断手段と、を備えている。
【００３０】
請求項１４に記載の放射線画像撮影装置によれば、有線接続用の接続部に接続可能に構成され、ケーブルが接続されていない接続部材が当該接続部に接続された場合に、遮断手段によって駆動用の内蔵電源からの給電が遮断される。
【００３１】
このように、請求項１４に記載の放射線画像撮影装置によれば、有線接続用の接続部に接続可能に構成され、ケーブルが接続されていない接続部材が当該接続部に接続された場合に、駆動用の内蔵電源からの給電を遮断しているので、接続部材を取り付けるという簡易な操作のみにより、煩雑な操作を伴うことなく、内蔵電源による消費電力を抑制することができる。
【００３２】
一方、上記目的を達成するために、請求項１５に記載の電源供給切替方法は、駆動用の内蔵電源、および有線接続用の接続部を備えた放射線画像撮影装置の前記接続部に接続可能に構成され、ケーブルが接続されていない接続部材が前記接続部に接続された場合に前記放射線画像撮影装置における前記内蔵電源からの給電を遮断する遮断ステップと、前記接続部材が前記接続部から取り外された場合に前記内蔵電源からの給電を再開する再開ステップと、を備えている。
【００３３】
従って、請求項１５に記載の電源供給切替方法によれば、請求項１に記載の発明と同様に作用するので、請求項１に記載の発明と同様に、煩雑な操作を伴うことなく、内蔵電源による消費電力を抑制することができる。
【００３４】
一方、上記目的を達成するために、請求項１６に記載のプログラムは、コンピュータを、駆動用の内蔵電源、および有線接続用の接続部を備えた放射線画像撮影装置の前記接続部に接続可能に構成され、ケーブルが接続されていない接続部材が前記接続部に接続された場合に前記放射線画像撮影装置における前記内蔵電源からの給電を遮断する遮断手段と、前記接続部材が前記接続部から取り外された場合に前記内蔵電源からの給電を再開する再開手段と、として機能させるためのものである。
【００３５】
従って、請求項１６に記載のプログラムによれば、請求項１に記載の発明と同様に作用するので、請求項１に記載の発明と同様に、煩雑な操作を伴うことなく、内蔵電源による消費電力を抑制することができる。
【発明の効果】
【００３６】
本発明によれば、接続部材が放射線画像撮影装置の有線接続用の接続部に接続された場合に当該放射線画像撮影装置における内蔵電源からの給電を遮断しているので、接続部材を取り付けるという簡易な操作のみにより、煩雑な操作を伴うことなく、内蔵電源による消費電力を抑制することができる、という効果が得られる。
【図面の簡単な説明】
【００３７】
【図１】実施の形態に係る放射線画像撮影システムの構成を示すブロック図である。
【図２】実施の形態に係る電子カセッテおよび通信ケーブルの構成および当該通信ケーブルの電子カセッテへの接続方法を示す正面図である。
【図３】実施の形態に係るダミー・コネクタの構成および電子カセッテへの接続方法を示す正面図である。
【図４】実施の形態に係る通信ケーブルおよびダミー・コネクタの構成を示す透視正面図である。
【図５】第１の実施の形態に係る電子カセッテの電気系の要部構成と、通信ケーブルおよびダミー・コネクタの電子カセッテへの接続方法を示すブロック図（一部回路図）である。
【図６】第１の実施の形態に係る電源切替部の構成を示す回路図である。
【図７】第１の実施の形態に係る電子カセッテに通信ケーブルを接続した場合の構成を示す回路図である。
【図８】第１の実施の形態に係る電子カセッテにダミー・コネクタを接続した場合の構成を示す回路図である。
【図９】第２の実施の形態に係る電子カセッテの電気系の要部構成と、通信ケーブルおよびダミー・コネクタの電子カセッテへの接続方法を示すブロック図（一部回路図）である。
【図１０】第２の実施の形態に係る電源切替部の構成およびダミー・コネクタを接続した場合の構成を示す回路図である。
【図１１】第２の実施の形態に係る電源切替処理プログラムの処理の流れを示すフローチャートである。
【図１２】第３の実施の形態に係るダミー・コネクタの構成を示す正面図である。
【図１３】第３の実施の形態に係るスイッチ操作時処理プログラムの処理の流れを示すフローチャートである。
【図１４】第３の実施の形態に係るダミー・コネクタの変形例の構成を示す回路図である。
【図１５】第３の実施の形態に係る通信ケーブルの変形例の構成を示す回路図である。
【図１６】第４の実施の形態に係る電子カセッテの構成およびダミー・コネクタを接続した場合の構成を示す回路図である。
【図１７】他のダミー・コネクタおよび電子カセッテの構成例を示すブロック図（一部回路図）である。
【図１８】他の接続部材の構成例を示す正面図である。
【発明を実施するための形態】
【００３８】
以下、図面を参照して、本発明を実施するための形態について詳細に説明する。なお、ここでは、本発明を、可搬型の放射線画像撮影装置（以下、「電子カセッテ」という。）を用いて放射線画像の撮影を行う放射線画像撮影システムに適用した場合の形態例について説明する。
【００３９】
［第１の実施の形態］
図１には、本実施の形態に係る放射線画像撮影システム１０の概略構成の一例が示されている。
【００４０】
同図に示すように、本実施の形態に係る放射線画像撮影システム１０は、放射線（本実施の形態では、Ｘ線）画像を撮影するための撮影室（以下、「Ｘ線室」という。）に設置されており、撮影制御装置（以下、「コンソール」という。）９０、放射線発生装置９２、および電子カセッテ３２が備えられている。
【００４１】
コンソール９０は、電子カセッテ３２と無線通信が可能に構成されている。また、コンソール９０と電子カセッテ３２とは通信ケーブル４３を介して有線接続された状態で、有線通信が可能となっている。
【００４２】
コンソール９０は、有線通信方式および無線通信方式のいずれかの通信方式で通信を行って、制御信号を伝送することにより電子カセッテ３２に対して様々な制御を行う。また、コンソール９０は、通信ケーブル９４を介して放射線発生装置９２と接続されており、放射線を発生するタイミングを制御する。
【００４３】
コンソール９０の制御に基づいたタイミングで、放射線発生装置９２は、放射線を被写体１２に照射する。放射線発生装置９２から照射された放射線は、被写体１２を透過して電子カセッテ３２に照射される。電子カセッテ３２は、照射された放射線から放射線画像を示す画像データを生成する。生成された画像データは、有線通信または無線通信によりコンソール９０に送信される。
【００４４】
図２には、本実施の形態に係る電子カセッテ３２および通信ケーブル４３の構成および当該通信ケーブル４３の電子カセッテ３２への接続方法を示す正面図が示されている。
【００４５】
本実施の形態に係る電子カセッテ３２は、誤操作の防止および密閉性の確保のため、電源スイッチが設けられていない一方、通信ケーブル４３に設けられたコネクタ４３Ａが接続可能とされた接続部３２Ｂが設けられている。
【００４６】
なお、本実施の形態に係る電子カセッテ３２は、後述する放射線検出器等の内蔵された電力駆動する各部に対して内蔵電源６０から常時電力が供給される一方、通信ケーブル４３のコネクタ４３Ａが接続部３２Ｂに接続されている場合には、内蔵電源６０から上記各部への電力供給が遮断されると共に、当該通信ケーブル４３を介して当該各部への駆動用の電力が供給される。
【００４７】
一方、図３に示すように、本実施の形態に係る電子カセッテ３２には、接続部３２Ｂに接続可能に構成されたダミー・コネクタ５０が用意されている。
【００４８】
ダミー・コネクタ５０は、電子カセッテ３２に接続されることにより、電子カセッテ３２の内蔵電源６０から各部への電力供給を遮断することができる。なお、本実施の形態に係るダミー・コネクタ５０は、本来、接続部３２Ｂに接続される通信ケーブル４３のコネクタ４３Ａと形状、寸法等の仕様が略同一でケーブルが接続されていないコネクタとされており、電子カセッテ３２に接続された状態で、当該接続部位周辺の密閉性を有するものとされている。
【００４９】
図４には本実施の形態に係る通信ケーブル４３のコネクタ４３Ａおよびダミー・コネクタ５０の構成を示す透視正面図が示されている。
【００５０】
図４（Ａ）に示すように、本実施の形態に係る通信ケーブル４３のコネクタ４３Ａは接続部４３Ｃを有しており、接続部４３Ｃには、ケーブル本体４３Ｂを介して供給された電力が出力される電力出力端子４３Ａ１と、互いに電気的に接続された短絡用第１端子４３Ａ２および短絡用第２端子４３Ａ３と、が設けられている。なお、図示は省略するが、本実施の形態に係る通信ケーブル４３のケーブル本体４３Ｂには、各種の制御信号や電子カセッテ３２による撮影によって得られた画像データ等をコンソール９０との間で送受信するための信号線が設けられており、当該信号線の端部に電気的に接続された端子も接続部４３Ｃに設けられている。
【００５１】
また、本実施の形態に係るダミー・コネクタ５０は、通信ケーブル４３のコネクタ４３Ａに設けられた接続部４３Ｃと同一の仕様とされた接続部５０Ｂを有しており、接続部５０Ｂには、互いに電気的に接続された短絡用第１端子５０Ａ２および短絡用第２端子５０Ａ３が設けられている。
【００５２】
一方、図５には、本実施の形態に係る電子カセッテ３２の電気系の要部構成が示されている。
【００５３】
同図に示すように、本実施の形態に係る電子カセッテ３２は、ＴＦＴ（Thin Film Transistor）基板２１上に光吸収性の低い接着樹脂等を用いて図示しないシンチレータが貼り付けられた放射線検出器２０を備えている。
【００５４】
ＴＦＴ基板２１には、上記シンチレータが発する光を吸収して電荷を発生するセンサ部２２Ａ、センサ部２２Ａにおいて発生した電荷を蓄積するコンデンサ２２Ｂ、およびコンデンサ２２Ｂに蓄積された電荷を電気信号に変換して出力する電界効果型薄膜トランジスタ（以下、単に「薄膜トランジスタ」という。）２２Ｃを含んで構成される画素２２が一定方向（図５の行方向）、および当該一定方向に対する交差方向（図５の列方向）に２次元状に複数設けられている。
【００５５】
また、放射線検出器２０には、上記一定方向（行方向）に延設され、各薄膜トランジスタ２２Ｃをオン・オフさせるための複数本のゲート配線２７と、上記交差方向（列方向）に延設され、オン状態の薄膜トランジスタ２２Ｃを介して電荷を読み出すための複数本のデータ配線２８と、が設けられている。放射線検出器２０は、平板状で、かつ平面視において外縁に４辺を有する四辺形状、より具体的には、矩形状に形成されている。
【００５６】
放射線検出器２０は、隣り合う２辺の一辺側にゲート線ドライバ２３が配置され、他辺側に信号処理部２４が配置されている。ＴＦＴ基板２１の個々のゲート配線２７はゲート線ドライバ２３に接続され、ＴＦＴ基板２１の個々のデータ配線２８は信号処理部２４に接続されている。
【００５７】
また、電子カセッテ３２の筐体３２Ａの内部には、画像メモリ２５と、カセッテ制御部２６と、無線通信部２７と、を備えている。
【００５８】
ＴＦＴ基板２１の各薄膜トランジスタ２２Ｃは、ゲート線ドライバ２３からゲート配線２７を介して供給される信号により行単位で順にオンされ、オン状態とされた薄膜トランジスタ２２Ｃによって読み出された電荷は、電気信号としてデータ配線２８を伝送されて信号処理部２４に入力される。これにより、電荷は行単位で順に読み出され、二次元状の放射線画像が取得可能となる。
【００５９】
図示は省略するが、信号処理部２４は、個々のデータ配線２８毎に、入力される電気信号を増幅する増幅回路およびサンプルホールド回路を備えており、個々のデータ配線２８を伝送された電気信号は増幅回路で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電気信号はマルチプレクサに順に（シリアルに）入力され、Ａ／Ｄ変換器によってデジタルの画像データへ変換される。
【００６０】
信号処理部２４には画像メモリ２５が接続されており、信号処理部２４のＡ／Ｄ変換器から出力された画像データは画像メモリ２５に順に記憶される。画像メモリ２５は所定枚分の画像データを記憶可能な記憶容量を有しており、放射線画像の撮影が行われる毎に、撮影によって得られた画像データが画像メモリ２５に順次記憶される。
【００６１】
画像メモリ２５はカセッテ制御部２６と接続されている。カセッテ制御部２６はマイクロコンピュータを含んで構成され、ＣＰＵ（中央処理装置）２６Ａ、ＲＯＭ（Read Only Memory）およびＲＡＭ（Random Access Memory）を含むメモリ２６Ｂ、フラッシュメモリ等からなる不揮発性の記憶部２６Ｃを備えており、電子カセッテ３２全体の動作を制御する。
【００６２】
さらに、カセッテ制御部２６には無線通信部２７が接続されている。無線通信部２７は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部２６は、無線通信部２７を介して、コンソール９０などの外部装置と無線通信が可能とされており、コンソール９０等との間で各種情報の送受信が可能とされている。
【００６３】
また、電子カセッテ３２には前述した内蔵電源６０が設けられており、各種回路や各種素子（ゲート線ドライバ２３、信号処理部２４、画像メモリ２５、無線通信部２７、カセッテ制御部２６として機能するマイクロコンピュータ等）は、内蔵電源６０から供給された電力によって作動する。内蔵電源６０は、電子カセッテ３２の可搬性を損なわないように、バッテリ（充電可能な二次電池）を内蔵しており、充電されたバッテリから各種回路・素子へ電力を供給する。
【００６４】
一方、本実施の形態に係る電子カセッテ３２には、内蔵電源６０の電力出力端子に接続されると共に、接続部３２Ｂに設けられている端子と接続された電源切替部７０が備えられている。
【００６５】
図６に示すように、本実施の形態に係る電源切替部７０は、２入力１出力のセレクタ７２と、トランジスタ７４と、２つのプル・アップ抵抗器７６，７８と、を備えており、セレクタ７２の一方の入力端子は内蔵電源６０の電力出力端子に接続されている。なお、本実施の形態に係るセレクタ７２は、制御端子がロー・レベル（Low Level）となっている場合に一方の入力端子が出力端子に接続され、制御端子がハイ・レベル（High Level）となっている場合に他方の入力端子が出力端子に接続される。但し、このセレクタ７２の論理は逆であってもよい。
【００６６】
一方、接続部３２Ｂには、通信ケーブル４３のコネクタ４３Ａが接続された場合に電力出力端子４３Ａ１に接触される一方、ダミー・コネクタ５０が接続された場合に開放状態とされる電力入力端子３２Ｂ１が備えられており、セレクタ７２の他方の入力端子は電力入力端子３２Ｂ１に接続されている。
【００６７】
同様に、接続部３２Ｂは、通信ケーブル４３のコネクタ４３Ａが接続された場合に短絡用第１端子４３Ａ２に接触される一方、ダミー・コネクタ５０が接続された場合に短絡用第１端子５０Ａ２に接触される短絡用第１端子３２Ｂ２が備えられている。さらに、接続部３２Ｂは、コネクタ４３Ａが接続された場合に短絡用第２端子４３Ａ３が接触される一方、ダミー・コネクタ５０が接続された場合に短絡用第２端子５０Ａ３に接触される短絡用第２端子３２Ｂ３が備えられている。そして、短絡用第１端子３２Ｂ２は、トランジスタ７４のベースに接続されると共に、プル・アップ抵抗器７６を介して、トランジスタ７４をオン状態とすることのできる所定の電圧にプル・アップされている。
【００６８】
一方、トランジスタ７４のコレクタはセレクタ７２の制御端子に接続されると共に、プル・アップ抵抗器７８を介してセレクタ７２の制御端子をオン状態（ハイ・レベル）とすることのできる所定の電圧にプル・アップされている。なお、トランジスタ７４のエミッタは接地されている。
【００６９】
そして、短絡用第２端子３２Ｂ３は接地されており、セレクタ７２の出力端子は各電力供給先との間に介在された図示しないＤＣ／ＤＣコンバータの入力端子に接続されている。
【００７０】
なお、本実施の形態に係る電源切替部７０では、プル・アップ抵抗器７６およびプル・アップ抵抗器７８に、内蔵電源６０からのプル・アップ電圧が常時印加されている。
【００７１】
次に、本実施の形態に係る放射線画像撮影システム１０の作用を説明する。まず、図５を参照して、本実施の形態に係る電子カセッテ３２の放射線画像の撮影時における作用を説明する。
【００７２】
本実施の形態に係る電子カセッテ３２は、放射線画像の撮影を行う場合、放射線発生装置９２と間隔を空けて配置され、撮影領域上に被写体１２の撮影対象部位が配置される。その後、放射線発生装置９２は予め与えられた撮影条件等に応じた放射線量の放射線を射出する。
【００７３】
放射線発生装置９２から射出された放射線は、撮影対象部位を透過することで画像情報を担持した後に電子カセッテ３２に照射される。これにより、電子カセッテ３２に内蔵された放射線検出器２０の各センサ部２２Ａには照射された放射線の線量に応じた電荷が発生し、コンデンサ２２Ｂにはセンサ部２２Ａで発生した電荷が蓄積される。
【００７４】
カセッテ制御部２６は、放射線の照射終了後に、ゲート線ドライバ２３を制御し、ゲート線ドライバ２３から放射線検出器２０の各ゲート配線２７に１ラインずつ順にオン信号を出力させて画像情報の読み出しを行う。放射線検出器２０から読み出された画像情報は上記Ａ／Ｄ変換器によってデジタルの画像データに変換され、画像メモリ２５に記憶された後、無線通信部２７を介して無線にてコンソール９０に送信される。
【００７５】
次に、接続部３２Ｂに何も接続されていない場合の電子カセッテ３２の作用を、図６を参照しつつ詳細に説明する。
【００７６】
同図に示すように、このとき、電子カセッテ３２の接続部３２Ｂに設けられた電力入力端子３２Ｂ１が開放状態とされる一方、短絡用第１端子３２Ｂ２と短絡用第２端子３２Ｂ３ともまた、開放状態とされる。この結果、トランジスタ７４がオン状態となり、セレクタ７２の制御端子がロー・レベルとされ、セレクタ７２における上記一方の入力端子が出力端子に接続された状態（図６に示す状態）となる。
【００７７】
以上の動作により、電子カセッテ３２の各電力供給先には、内蔵電源６０からの電力が上記ＤＣ−ＤＣコンバータ等を介して供給される。
【００７８】
次に、通信ケーブル４３が接続部３２Ｂに接続されている場合の電子カセッテ３２の作用を、図７を参照しつつ詳細に説明する。
【００７９】
同図に示すように、このとき、通信ケーブル４３のコネクタ４３Ａに設けられた電力出力端子４３Ａ１が電子カセッテ３２の接続部３２Ｂに設けられた電力入力端子３２Ｂ１に接触される。
【００８０】
一方、このとき、接続部３２Ｂに設けられた短絡用第１端子３２Ｂ２と短絡用第２端子３２Ｂ３とが、コネクタ４３Ａに設けられた短絡用第１端子４３Ａ２および短絡用第２端子４３Ａ３を介して短絡される。この結果、トランジスタ７４がオフ状態となり、セレクタ７２の制御端子がプル・アップ抵抗器７８を介してハイ・レベルとされ、セレクタ７２における上記他方の入力端子が出力端子に接続された状態（図７に示す状態）となる。
【００８１】
以上の動作により、内蔵電源６０からの電力供給が遮断される一方、電子カセッテ３２の各電力供給先には、通信ケーブル４３を介して入力された電力が上記ＤＣ−ＤＣコンバータ等を介して供給される。
【００８２】
次に、ダミー・コネクタ５０が接続部３２Ｂに接続されている場合の電子カセッテ３２の作用を、図８を参照しつつ詳細に説明する。
【００８３】
同図に示すように、このとき、接続部３２Ｂに設けられた電力入力端子３２Ｂ１は開放状態となる。
【００８４】
一方、このとき、接続部３２Ｂに設けられた短絡用第１端子３２Ｂ２と短絡用第２端子３２Ｂ３とが、ダミー・コネクタ５０に設けられた短絡用第１端子５０Ａ２および短絡用第２端子５０Ａ３を介して短絡される。この結果、トランジスタ７４がオフ状態となり、セレクタ７２の制御端子がプル・アップ抵抗器７８を介してハイ・レベルとされ、セレクタ７２における上記他方の入力端子が出力端子に接続された状態（図８に示す状態）となる。
【００８５】
以上の動作により、内蔵電源６０からの電力供給が遮断され、電子カセッテ３２の各電力供給先には電力が供給されることはない。なお、ここで、ダミー・コネクタ５０が接続部３２Ｂから取り外された場合に内蔵電源６０からの給電が再開されることは言うまでもない。
【００８６】
以上詳細に説明したように、本実施の形態によれば、接続部材（ここでは、ダミー・コネクタ５０）が放射線画像撮影装置（ここでは、電子カセッテ３２）の有線接続用の接続部（ここでは、接続部３２Ｂ）に接続された場合に当該放射線画像撮影装置における内蔵電源（ここでは、内蔵電源６０）からの給電を遮断しているので、接続部材を取り付けるという簡易な操作のみにより、煩雑な操作を伴うことなく、内蔵電源による消費電力を抑制することができる。
【００８７】
また、本実施の形態によれば、前記接続部を、前記放射線画像撮影装置と外部装置（ここでは、コンソール９０）との間を接続するケーブル（ここでは、ケーブル本体４３Ｂ）に設けられた外部接続コネクタ（ここでは、コネクタ４３Ａ）が接続されるものとし、前記接続部材を、前記外部接続コネクタのダミー・コネクタとしているので、上記接続部材を簡易に製作することができる。
【００８８】
特に、本実施の形態によれば、前記ケーブルを、少なくとも外部からの電力を供給する役割を有するものとしているので、外部接続コネクタを接続部に接続した状態で外部からの給電が可能となる結果、内蔵電源による消費電力を、より抑制することができる。
【００８９】
特に、本実施の形態によれば、前記外部接続コネクタが前記接続部に接続された場合に、前記内蔵電源に代えて前記ケーブルから給電するように切り替えているので、より確実に内蔵電源による消費電力を抑制することができる。
【００９０】
また、本実施の形態によれば、前記内蔵電源からの給電を遮断する遮断手段を前記接続部材に設けているので、前記遮断手段を別個に設ける場合に比較して、当該遮断手段に要するスペースを削減することができる。
【００９１】
また、本実施の形態によれば、前記遮断手段により、前記内蔵電源からの給電を電気的に遮断しているので、機械的に遮断する場合に比較して、遮断手段の耐久性を向上させることができる。
【００９２】
さらに、本実施の形態によれば、前記接続部材を、前記接続部に接続されている際に当該接続部位周辺の密閉性を有するものとしているので、放射線画像撮影装置を医療現場で用いる場合の、血液等の液体の装置内部への流入を防止することができる。
【００９３】
［第２の実施の形態］
まず、図９を参照して、本第２の実施の形態に係る電子カセッテ３２の電気系の要部構成を説明する。なお、同図における図５と同一の構成要素には図５と同一の符号を付して、その説明を省略する。
【００９４】
同図に示すように、本第２の実施の形態に係る電子カセッテ３２は、電源切替部７０に代えて、内部構成が異なる電源切替部７０’が適用されている点のみが上記第１の実施の形態と異なっている。
【００９５】
図１０には、本第２の実施の形態に係る電源切替部７０’の構成が示されている。なお、同図における図６と同一の構成要素には図６と同一の符号を付して、その説明を極力省略する。
【００９６】
同図に示すように、電源切替部７０’は、トランジスタ８０およびレジスタ８２が備えられており、トランジスタ８０のコレクタはセレクタ７２の制御端子に接続される一方、エミッタは接地されている。
【００９７】
一方、レジスタ８２のクリア端子および入力端子はカセッテ制御部２６のＣＰＵ２６Ａに接続される一方、レジスタ８２の出力端子はトランジスタ８０のベースに接続されている。
【００９８】
本第２の実施の形態に係る電源切替部７０’では、トランジスタ８０およびレジスタ８２を除く部分については上記第１の実施の形態に係る電源切替部７０と同様に動作する。すなわち、ダミー・コネクタ５０が接続部３２Ｂに接続された状態では、接続部３２Ｂに設けられた電力入力端子３２Ｂ１が開放状態になると共に、短絡用第１端子３２Ｂ２と短絡用第２端子３２Ｂ３とが短絡され、この結果としてセレクタ７２の制御端子がハイ・レベルとされて、内蔵電源６０からの電力供給が遮断される。
【００９９】
ここで、本第２の実施の形態に係る電源切替部７０’では、レジスタ８２の出力端子がベースに接続されると共に、エミッタが接地されたトランジスタ８０のコレクタがセレクタ７２の制御端子に接続されている。このため、レジスタ８２に出力端子がハイ・レベルとなるデータを設定することにより、トランジスタ８０をオン状態とし、セレクタ７２の制御端子をロー・レベルとすることができ、この結果として、内蔵電源６０からの電力が上記ＤＣ−ＤＣコンバータ等を介して供給される。
【０１００】
これに対し、レジスタ８２に出力端子がロー・レベルとなるデータを設定することにより、トランジスタ８０をオフ状態とし、セレクタ７２の制御端子をハイ・レベルとすることができ、この結果として、内蔵電源６０からの電力供給が遮断される。
【０１０１】
なお、本実施の形態に係る電子カセッテ３２では、ＣＰＵ２６Ａに内蔵電源６０からの駆動用の電力が常時入力されている。
【０１０２】
本実施の形態に係る電子カセッテ３２は、コンソール９０から内蔵電源６０の使用を指示する内蔵電源使用指示情報、または内蔵電源６０からの給電を遮断することを指示する内蔵電源遮断指示情報が無線通信部２７を介して受信された場合に、受信した情報に応じて内蔵電源６０からの給電状態を制御する電源切替処理を実行する。
【０１０３】
次に、図１１を参照して、電源切替処理を実行する際の本第２の実施の形態に係る電子カセッテ３２の作用を説明する。なお、図１１は、この際にカセッテ制御部２６のＣＰＵ２６Ａにより実行される電源切替処理プログラムの処理の流れを示すフローチャートであり、当該プログラムは記憶媒体としてのメモリ２６Ｂの所定領域に予め記憶されている。
【０１０４】
同図のステップ１００では、コンソール９０から受信した情報が内蔵電源遮断指示情報であったか否かを判定し、肯定判定となった場合はステップ１０２に移行して、レジスタ８２にロー・レベルを出力させる情報を設定した後、本電源切替処理プログラムを終了する。
【０１０５】
一方、上記ステップ１００において否定判定となった場合には、受信した情報が内蔵電源使用指示情報であったと見なしてステップ１０４に移行し、レジスタ８２にハイ・レベルを出力させる情報を設定した後、本電源切替処理プログラムを終了する。
【０１０６】
本電源切替処理プログラムの実行により、コンソール９０からの指示情報の送信によって、内蔵電源６０からの給電状態を制御することができる。
【０１０７】
以上詳細に説明したように、本実施の形態でも、上記第１の実施の形態と略同様の効果を奏することができると共に、前記内蔵電源からの給電を遮断する遮断手段を前記放射線画像撮影装置に設けているので、前記遮断手段を別個に設ける場合に比較して、当該遮断手段に要するスペースを削減することができる。
【０１０８】
［第３の実施の形態］
まず、図１２を参照して、本第３の実施の形態に係る放射線画像撮影システムにおいて用いられるダミー・コネクタ５０’の構成を説明する。
【０１０９】
同図に示すように、本第３の実施の形態に係るダミー・コネクタ５０’は、上記第１の実施の形態に係るダミー・コネクタ５０に対し、外部に押圧部が露出された状態でスイッチ５２が設けられている点のみがダミー・コネクタ５０と異なっている。ここで、スイッチ５２は、押圧部が押圧操作される度にオン状態およびオフ状態が切り替えられる所謂オルタネート型のものが用いられており、本実施の形態に係る電子カセッテ３２は、ダミー・コネクタ５０’が接続部３２Ｂに接続された状態でスイッチ５２のオン／オフ状態を把握することができる。
【０１１０】
なお、ダミー・コネクタ５０’および電子カセッテ３２以外の構成は、上記第２の実施の形態と同様であるので、ここでの説明は省略する。
【０１１１】
次に、図１３を参照して、ダミー・コネクタ５０’が接続部３２Ｂに接続され、かつダミー・コネクタ５０’のスイッチ５２が押圧操作された際の本第３の実施の形態に係る電子カセッテ３２の作用を説明する。なお、図１３は、この際にカセッテ制御部２６のＣＰＵ２６Ａにより実行されるスイッチ操作時処理プログラムの処理の流れを示すフローチャートであり、当該プログラムはメモリ２６Ｂの所定領域に予め記憶されている。
【０１１２】
同図のステップ２００では、内蔵電源６０から各電力供給先への電力供給が行われているか否かを判定し、肯定判定となった場合はステップ２０２に移行して、内蔵電源６０からの給電を遮断することを示す電源遮断情報を、無線通信部２７を介してコンソール９０に送信し、次のステップ２０４にて、レジスタ８２にロー・レベルを出力させる情報を設定することにより、内蔵電源６０からの給電を遮断した後、本スイッチ操作時処理プログラムを終了する。
【０１１３】
一方、上記ステップ２００において否定判定となった場合にはステップ２０６に移行し、レジスタ８２にハイ・レベルを出力させる情報を設定することにより、内蔵電源６０からの給電経路を接続し、次のステップ２０８にて、内蔵電源６０からの給電経路を接続したことを示す電源接続情報を、無線通信部２７を介してコンソール９０に送信した後、本スイッチ操作時処理プログラムを終了する。
【０１１４】
以上詳細に説明したように、本実施の形態によれば、上記第２の実施の形態と同様の効果を奏することができると共に、前記接続部材が前記接続部に接続された場合に前記内蔵電源からの給電が遮断されることを示す電源遮断情報を送信し、前記電源遮断情報を送信した後に前記内蔵電源からの給電を遮断しているので、外部装置に対して、放射線画像撮影装置の不具合等によって給電が遮断されたのではなく、接続部材が接続されたことによって給電が遮断されたことを把握させることができる。
【０１１５】
また、本実施の形態によれば、前記接続部材に、前記内蔵電源からの電力の供給および遮断の状態を切り替えるためのスイッチ（ここでは、スイッチ５２）を設けているので、利用者にとっての利便性を、より向上させることができる。
【０１１６】
なお、本第３の実施の形態では、ダミー・コネクタ５０’が電子カセッテ３２に接続された場合で、かつスイッチ５２に対する操作に応じて内蔵電源６０からの給電が遮断される場合に電源遮断情報を送信する場合について説明したが、本発明はこれに限定されるものではなく、ダミー・コネクタ５０’が電子カセッテ３２に接続された場合に電源遮断情報を送信し、その後に内蔵電源６０からの給電を遮断する形態としてもよい。
【０１１７】
また、本第３の実施の形態では、ダミー・コネクタ５０’に設けられたスイッチ５２に対する押圧操作に応じた内蔵電源６０からの給電状態の切り替えをＣＰＵ２６Ａによるソフトウェアの処理により実行する場合について説明したが、本発明はこれに限定されるものではなく、当該給電状態の切り替えを電子回路による回路構成により実現する形態としてもよい。
【０１１８】
図１４には、この場合のダミー・コネクタ５０’の構成例が示されている。なお、この形態における電子カセッテ３２の電源切替部７０の構成は上記第１の実施の形態に係るものと同一である。
【０１１９】
同図に示すように、この形態に係るダミー・コネクタ５０’では、電子カセッテ３２の接続部３２Ｂに接続された状態において、スイッチ５２の押圧部に対する押圧操作に応じて接続／切断状態が切り替えられる一対の接点のうち、一方が電子カセッテ３２に設けられた接続部３２Ｂにおける短絡用第１端子３２Ｂ２に接続される一方、他方が短絡用第２端子３２Ｂ３に接続される。
【０１２０】
従って、ユーザは、スイッチ５２の押圧部に対する押圧操作により、トランジスタ７４のオン／オフ状態を切り替えることができる。
【０１２１】
なお、同様に、一例として図１５に示すように、通信ケーブル４３のコネクタ４３Ａに対して、内蔵電源６０からの電力の供給および遮断の状態を切り替えるためのスイッチ４３Ｄを設け、当該スイッチ４３Ｄに対する押圧操作により、内蔵電源６０からの給電状態を切り替えることができるように構成してもよい。
【０１２２】
［第４の実施の形態］
まず、図１６を参照して、本第４の実施の形態に係る放射線画像撮影システムにおいて用いられるダミー・コネクタ５０’’および電子カセッテ３２の構成を説明する。
【０１２３】
同図に示すように、本第４の実施の形態に係るダミー・コネクタ５０’’は、上記第１の実施の形態に係るダミー・コネクタ５０に対し、短絡用第１端子５０Ａ２および短絡用第２端子５０Ａ３が設けられていない点、および一対の位置決め用ピン５０Ｃが設けられている点のみがダミー・コネクタ５０と異なっている。
【０１２４】
一方、本実施の形態に係る電子カセッテ３２は、ダミー・コネクタ５０’’が接続された際に上記一対の位置決め用ピン５０Ｃが個別に挿入される一対の孔３２Ｃが設けられている。また、本実施の形態に係る電子カセッテ３２では、内蔵電源６０から各電力供給先との間に介在された図示しないＤＣ／ＤＣコンバータの入力端子に至る経路上で、かつダミー・コネクタ５０’’が接続された際に一方の位置決め用ピン５０Ｃの先端部によってオフ状態（切断状態）とされる位置にスイッチ９８が介在されている。
【０１２５】
なお、ダミー・コネクタ５０’’および電子カセッテ３２以外の構成は、上記第１の実施の形態と同様であるので、ここでの説明は省略する。
【０１２６】
本実施の形態に係る電子カセッテ３２では、ダミー・コネクタ５０’’が接続されていない状態では、スイッチ９８がオン状態（図１６の実線の状態）とされており、内蔵電源６０から各電力供給先に対して電力が常時供給される。
【０１２７】
これに対し、ダミー・コネクタ５０’’が接続されている状態では、一方の位置決め用ピン５０Ｃの先端部によってスイッチ９８がオフ状態（図１６の一点鎖線の状態）とされるため、内蔵電源６０から各電力供給先に対する給電が遮断される。
【０１２８】
以上詳細に説明したように、本実施の形態によれば、上記第１の実施の形態と略同様の効果を奏することができると共に、前記遮断手段が、前記内蔵電源からの給電を機械的に遮断しているので、電気的に遮断する場合に比較して、当該遮断のための消費電力の発生を防止することができる。
【０１２９】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１３０】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１３１】
例えば、上記各実施の形態では、電子カセッテ３２側の構成や処理によって内蔵電源６０からの給電状態を制御する場合について説明したが、本発明はこれに限定されるものではなく、ダミー・コネクタによって能動的に内蔵電源６０の給電状態を制御する形態としてもよい。
【０１３２】
図１７には、この場合のダミー・コネクタおよび電子カセッテ３２の構成例が示されている。なお、ここでは、ダミー・コネクタに上記第３の実施の形態に係るダミー・コネクタ５０’と同様のスイッチ５２が設けられると共に、各種情報を表示可能な表示部５６が設けられている場合について例示する。
【０１３３】
同図に示すように、このダミー・コネクタは、ＣＰＵ５１、ＲＯＭ５３、およびＲＡＭ５４が備えられると共に、表示部５６に接続された表示制御部５５、およびスイッチ５２に接続されたインタフェース部（Ｉ／Ｆ）５７が備えられており、これら各部はシステム・バスにより相互かつ電気的に接続されている。従って、ＣＰＵ５１は、ＲＯＭ５３およびＲＡＭ５４へのアクセス、表示部５６に対する各種情報の表示、およびスイッチ５２の状態の把握を各々行うことができる。
【０１３４】
また、このダミー・コネクタは、接続部５０Ｂに接続されたＩ／Ｆ５８が備えられており、当該Ｉ／Ｆ５８もまた上記システム・バスに接続されている。従って、ＣＰＵ５１は、ダミー・コネクタが電子カセッテ３２に接続されている場合における接続部５０Ｂを介した電子カセッテ３２との各種情報の授受を行うことができる。
【０１３５】
一方、この形態に係る電子カセッテ３２では、接続部３２Ｂがカセッテ制御部２６に電気的に接続されており、ダミー・コネクタのＣＰＵ５１は、電子カセッテ３２に接続された状態で、内蔵電源６０からの給電状態を、ＣＰＵ２６Ａを介して制御することができる。
【０１３６】
この構成によれば、ＣＰＵ５１はカセッテ制御部２６のＣＰＵ２６Ａとの通信可否の状況によって電子カセッテ３２に接続されたことを把握することができる。そこで、ＣＰＵ５１は、電子カセッテ３２に接続されている場合に、内蔵電源６０からの給電を遮断するようにＣＰＵ２６Ａを介して制御すると共に、コンソール９０に対し、電源遮断情報を、無線通信部２７等を介して送信するように制御する。
【０１３７】
なお、この構成では、内蔵電源６０からの給電状態を示す情報や、電子カセッテ３２の作動状態を示す情報等の各種情報を表示部５６により表示することができるため、より利便性を向上させることができる。
【０１３８】
また、上記各実施の形態では、本発明の接続部材として、電子カセッテ３２の接続部３２Ｂに本来接続される通信ケーブル４３のコネクタ４３Ａと略同一の形状および寸法とされたダミー・コネクタを適用した場合について説明したが、本発明はこれに限定されるものではなく、一例として図１８に示すような、コネクタ４３Ａとは異なる形状や、異なる寸法の接続部材を適用する形態としてもよい。なお、図１８に示す接続部材は、上記各実施の形態に記載のダミー・コネクタに比較して薄型のものとされているため、電子カセッテ３２に接続した場合における当該接続部材による突出部を低くすることができる結果、電子カセッテ３２を持ち運ぶ際の利便性等を向上させることができる。
【０１３９】
また、上記各実施の形態では、ダミー・コネクタの一部が接触／離脱することによって内蔵電源からの給電の遮断／再開を切り替える場合について説明したが、本発明はこれに限定されるものではなく、例えば、ダミー・コネクタが電子カセッテに接続された場合に当該ダミー・コネクタからの電磁誘導や磁気等によって非接触で開閉する開閉素子を内蔵電源と各電力供給先との間の給電経路上に設けておき、当該開閉素子の開閉動作によって内蔵電源からの給電の遮断／再開を切り替える形態としてもよい。
【０１４０】
また、上記各実施の形態では、本発明の遮断手段としてダミー・コネクタを適用した場合について説明したが、本発明はこれに限定されるものではなく、電子カセッテ３２の接続部３２Ｂを覆う単なるカバーを適用する形態としてもよい。
【０１４１】
その他、上記各実施の形態で説明した放射線画像撮影システム、電子カセッテ、通信ケーブル、ダミー・コネクタの構成（図１〜図６，図９〜図１０，図１２，図１４〜図１８参照。）は一例であり、本発明の主旨を逸脱しない範囲内において、不要な部分を削除したり、新たな部分を追加したり、構成を変更したりすることができることは言うまでもない。
【符号の説明】
【０１４２】
１０    放射線画像撮影システム
１２    被写体
２６    カセッテ制御部
２６Ａ    ＣＰＵ
２７    無線通信部
３２    電子カセッテ（放射線画像撮影装置）
３２Ｂ    接続部
４３    通信ケーブル
４３Ａ    コネクタ（外部接続コネクタ）
４３Ｂ    ケーブル本体
４３Ｃ    接続部
５０，５０’，５０’’    ダミー・コネクタ（接続部材）
５０Ｂ    接続部（遮断手段）
５２    スイッチ
６０    内蔵電源
７０，７０’    電源切替部（遮断手段、切替手段、再開手段）
９０    コンソール
９２    放射線発生装置
【図１】
0005414745.tif 000002
【図２】
0005414745.tif 000003
【図３】
0005414745.tif 000004
【図４】
0005414745.tif 000005
【図５】
0005414745.tif 000006
【図６】
0005414745.tif 000007
【図７】
0005414745.tif 000008
【図８】
0005414745.tif 000009
【図９】
0005414745.tif 000010
【図１０】
0005414745.tif 000011
【図１１】
0005414745.tif 000012
【図１２】
0005414745.tif 000013
【図１３】
0005414745.tif 000014
【図１４】
0005414745.tif 000015
【図１５】
0005414745.tif 000016
【図１６】
0005414745.tif 000017
【図１７】
0005414745.tif 000018
【図１８】
0005414745.tif 000019